(57)【要約】  本発明はキャノピーの構造に係り、柱と、前記柱に沿ってスライディングするスライド連結ブロックと、第１棒は前記柱の端部連結ブロックにピボットされ、第２棒は前記スライド連結ブロックにピボットされて摺畳可能に“Ｘ”状にピボットされるルーフエッジフレームと、第１棒は前記ルーフエッジフレームの第１棒の端部連結ブロックにピボットされ、第２棒は前記ルーフエッジフレームの第２棒の端部連結ブロックに“Ｘ”状にピボットされる多数のルーフ中心部フレームと、前記ルーフの外側の最上端を形成する上部ヘッド連結ブロックと、前記ルーフの内側の最上端を形成する下部ヘッド連結ブロックと、前記ルーフエッジフレームとルーフ中心部フレームとを覆うルーフ布と、を含んでなり、通風口と庇ルーフとを形成できることを特徴とするため、ルーフの形状及び種類によってピラミッド型、スレートルーフ（ゲーブル）型、十字ルーフ型、十字ピラミッド型、変形十字ピラミッド型などに適用可能であり、円滑な排水及び美観を美しくするだけでなく、ルーフのコーナを補強して外力に対する持久力と保存力とを強くし、ユーザにとってキーレバーの使用を安全にし、ルーフに通風口と２階型庇ルーフとを形成して内部の通風及び温度上昇を防止し、製品を高級化でき、また通風口と２階型庇ルーフとを除去できて季節温度など多様な環境によって２つの用途に使用できる。
2005514545.tif 000002
【特許請求の範囲】
【請求項１】
地面に立てられる多数の柱と、
前記柱の端部に固定される端部連結ブロックと、
前記柱に沿って摺動自在に形成されたスライド連結ブロックと、
第１棒は前記柱の端部連結ブロックにピボットされ、第２棒は前記スライド連結ブロックにピボットされて摺畳可能に中心部が“Ｘ”状にピボットされ、ルーフのエッジを支持する多数のルーフエッジフレームと、
第１棒は前記ルーフエッジフレームの第１棒の端部連結ブロックにピボットされ、第２棒は前記ルーフエッジフレームの第２棒の端部連結ブロックにピボットされて摺畳可能に中心部が“Ｘ”状にピボットされ、ルーフの中心部を支持する多数のルーフ中心部フレームと、
前記ルーフエッジフレームとルーフ中心部フレームとを連結する棒連結ブロックと、
前記ルーフ中心部フレームそれぞれの第１棒にピボットされてルーフの外側の最上端を形成する上部ヘッド連結ブロックと、
前記ルーフ中心部フレームそれぞれの第２棒にピボットされてルーフの内側の最上端を形成する下部ヘッド連結ブロックと、
前記ルーフの中心に向かうコーナが形成されてコーナを補強するように前記ルーフ端部連結ブロックと上部ヘッド連結ブロック間に摺畳可能なコーナ補強バーを含む連結ブロックと、
前記ルーフエッジフレームとルーフ中心部フレームとを覆うルーフ布と、を含んでなることを特徴とするキャノピーの構造。
【請求項２】
広げる時、前記上部ヘッド連結ブロックの高さが前記ルーフエッジフレームの水平面より高くなるように前記ルーフ中心部フレームの棒長が前記ルーフエッジフレーム棒より長く、前記ルーフ中心部フレームの第１棒が第２棒より長く、全体的にピラミッド型、スレート（ゲーブル）ルーフ型、十字ルーフ型、十字ピラミッド型、変形十字ピラミッド型であることを特徴とするキャノピーの構造。
【請求項３】
前記柱と、前記ルーフエッジフレーム及び前記ルーフ中心部フレームを延設して多数の上部及び下部ヘッド連結ブロックが形成されるように多段に設置され、中央の柱が除去されて多数の小さなルーフで連結された形態の単一ルーフ多段型または中央の柱が除去されて一つの大きいルーフが形成される形態の二重ルーフ多段型に製作されることを特徴とする請求項１に記載のキャノピーの構造。
【請求項４】
前記スライド連結ブロックは、
下面に円筒型レールが形成される射出成形ブロックの本体と、
前記本体のレールに挿し込まれてスライディング可能であり、ユーザが加圧してスライディング前進させる時、先端部が前記柱に形成された貫通ホールに挿し込まれるように形成される柱型射出ブロックであるスライド式キーレバーと、
前記スライド式キーレバーの先端部に挿し込まれ、前記本体と前記スライド式キーレバー間に設置されて前記スライド式キーレバーを後進させる方向に復原力が作用する弾性バネと、
前記スライド式キーレバーに形成されたフック溝にかかるラッチであって、前記スライド式キーレバーを覆って固定させる固定キャップに形成された垂直ホールに挿し込まれて、自重によって下降してその先端部が前記スライド式キーレバーのフック溝にかかって前記スライド式キーレバーが前進する時、前記スライド式キーレバーを固定させるキーレバー固定具と、を含んでなることを特徴とする請求項１に記載のキャノピーの構造。
【請求項５】
前記スライド連結ブロックは、
下面に円筒型レールが形成される射出成形ブロックの本体と、
前記本体のレールに挿し込まれてスライディング可能であり、スライディング前進する時、先端部が前記柱に形成された貫通ホールに挿し込まれるように形成される柱型射出ブロックであるスライド式キーレバーと、
前記スライド式キーレバーの後端部に挿し込まれて固定キャップと前記スライド式キーレバー間に設置されて前記スライド式キーレバーを前進させる方向に復原力が作用する弾性バネと、
一側が前記スライド式キーレバーの側面に形成されたネジ溝に螺合または固定され、他側が前記本体の側面に形成されるスライドホールから突き出る取っ手であって、ユーザが前進状態の前記スライド式キーレバーを後進させて前記柱を自由にするキーレバー取っ手と、を含んでなることを特徴とする請求項１に記載のキャノピーの構造。
【請求項６】
前記スライド連結ブロックは、
側面にガイド板が形成される射出成形ブロックの本体と、
前記本体のガイド板にピボット軸を中心に回動可能であり、ユーザが広げる時、スライダー連結ブロックを上げる時に弾性バネによって正転されて、一側に形成された先端部が前記柱に形成された貫通ホールに挿し込まれるように形成される回転板状の射出ブロックである回転式キーレバーと、
前記回転式キーレバーの他側の尾部に挿し込まれて前記本体と前記回転式キーレバー間に設置されるものであって、前記回転式キーレバーを正転させる方向に復原力が作用する弾性バネと、を含んでなることを特徴とする請求項１に記載のキャノピーの構造。
【請求項７】
前記スライド連結ブロック、前記柱の端部連結ブロック、前記ルーフエッジフレームの第１棒の棒連結ブロック、第２棒の棒連結ブロック、前記上部ヘッド連結ブロック、前記下部ヘッド連結ブロックは、プラスチック射出構造物であるか、または用途によって溶接構造物も可能であり、使われる棒状によって長方形、正方形、円形、楕円形の引入形状が可能であり、必要時にブロック上方が開放された形態に製作され、それぞれの第１及び第２棒に形成されたピンホールと、前記連結ブロックに形成したピンホールとを同時に貫通するスプラインが形成される柱型または円柱型ヒンジ軸によってピボット結合されるようにアームが形成され、前記ヒンジ軸の一端部に固定用キャップまたはピンが設置されることを特徴とする請求項１に記載のキャノピーの構造。
【請求項８】
前記ルーフ布の突出している中心に通風口が形成され、プラスチック射出物であるか、または用途によって溶接構造物である前記上部ヘッド連結ブロックが前記通風口を貫通して上方に突設され、前記通風口と所定間隔で離隔されて前記上部ヘッド連結ブロックに摺畳式庇ルーフリブが形成された別途の２階型の庇ルーフが設置されることを特徴とする請求項１に記載のキャノピーの構造。
【請求項９】
前記庇ルーフリブは、前記庇ルーフを形成する放射形庇ルーフリブと、
一端部が前記放射形庇ルーフリブの中心部または中心部から外れてピボットされるか、または前記放射形庇ルーフリブに沿ってすべり運動や固定されて摺畳可能にピボットされ、他端部が前記コーナ補強バー及び／または前記ルーフ中心部フレームの第２棒にそれぞれピボットされる摺畳式庇ルーフリブと、を含んでなることを特徴とする請求項８に記載のキャノピーの構造。
【請求項１０】
前記下部ヘッド連結ブロックには前記上部ヘッド連結ブロックを貫通して前記上部ヘッド連結ブロックを基準としてスライディング可能な上部ルーフ柱が設置され、前記上部ルーフ柱が立てられて高さ調節が可能になるように前記上部ルーフ柱の下側と下部ルーフ柱の内側とに弾性バネが設置され、前記弾性バネの変位を調節するように一側が前記弾性バネを貫通して前記弾性バネの端部に回転自在に固定され、他側が回転時に前記下部ヘッド連結ブロックを基準としてナット及びネジより進退可能に前記下部ヘッド連結ブロックに回転自在に支えられる回転取っ手が設置されることを特徴とする請求項１に記載のキャノピーの構造。
【請求項１１】
前記柱は、橋の高さ調節が可能になるようにキーレバー固定ブロックが外筒に挿し込まれてスライディングされる内筒よりなり、前記内筒には外筒に形成される貫通口に弾性フックされるキーレバーまたはスナップボタンが用途によって選択設置され、前記外筒には前記内筒と外筒とを互いに固定させる固定ブロックが設置され、
前記固定ブロックは、
レールが形成される射出成形ブロックの本体と、
前記本体のレールに挿し込まれてスライディング可能であり、スライディング前進する時、先端部が前記外筒及び内筒を貫通するように形成される柱型射出ブロックであるスライド式キーレバーと、
前記スライド式キーレバーの後端部に挿し込まれて固定キャップと前記スライド式キーレバー間に設置されて前記スライド式キーレバーを前進させる方向に復原力が作用する弾性バネと、
一側が前記スライド式キーレバーの側面に形成されたネジ溝に螺合または固定され、他側が前記本体の側面に形成されるスライドホールから突き出る取っ手であって、ユーザが前進状態の前記スライド式キーレバーを後進させて前記内筒を自由にするキーレバー取っ手と、を含んでなることを特徴とする請求項１に記載のキャノピーの構造。
【発明の詳細な説明】
【技術分野】
【０００１】
本発明はキャノピーの構造に係り、さらに詳細には、堅固で美観が良く、多用途に使用されうるキャノピーの構造に関する。
【背景技術】
【０００２】
一般的に、簡易庇や簡易ハウス、すなわち、キャノピーとは、野外で風や日差しを遮るために所定高さに骨組みを立て、骨組みの上にルーフを覆うものであって、キャンピングやストリート行事や運動会などで広く使われている製品である。
【０００３】
このようなキャノピーは、柱を立て、多数の連結ブロックを利用してルーフエッジフレームとルーフ中心部フレームとを摺畳式に連結してルーフ布を覆って構成された。
【０００４】
しかし、前記ルーフエッジフレームとルーフ中心部フレームとは相互に同じ長さの単純な“Ｘ”構造の棒より設置されたルーフの外観が平坦であるか、またはルーフ中心に垂直棒を設置して単純に円柱型に尖っている形状であるので、美観上美しくなく、ルーフのコーナ線が生きなくてルーフ布が垂れて排水が難しく、構造上脆弱であるという問題点があった。
【０００５】
また、ルーフを多段に形成して延長使用し難く、ユーザがスナップボタンを操作する時、指などが負傷する恐れがあり、ルーフの通風が円滑でなくて内部空気が循環されなく、製品を高級化できなかった問題点があった。
【発明の開示】
【０００６】
前記問題点を解決するための本発明の目的は、棒長の差を利用して別途の垂直棒なしにもルーフの上端を鋭く、連続して、四側面と中央を最大限高めるなど多様なルーフの形状と種類とによってピラミッド型、スレートルーフ（ゲーブル）型、十字ルーフ型、十字ピラミッド型、変形十字ピラミッド型などに適用可能であり、円滑な排水及び美観を美しくするだけでなく、ルーフのコーナを補強して円滑な排水及び外力に強い多様な形状のキャノピーの構造を提供することである。
【０００７】
本発明の他の目的は、ルーフを多段に延長可能であり、ユーザのキーレバーの使用を容易にし、ルーフに通風口と庇ルーフとを形成して内部の空気循環で通風と温度調節との機能を有し、製品を高級化させうるキャノピーの構造を提供することである。
【０００８】
前記目的を達成するための本発明のキャノピーの構造は、地面に立てられる少なくとも４本以上の柱と、前記柱に沿って摺動自在に形成されたスライド連結ブロックと、前記柱端部に固定された端部連結ブロックと、第１棒は前記柱の端部連結ブロックにピボットされ、第２棒は前記スライド連結ブロックにピボットされて摺畳可能に中心部が“Ｘ”状にピボットされ、ルーフのエッジを支持する多数のルーフエッジフレームと、第１棒は前記ルーフエッジフレームの第１棒の端部連結ブロックにピボットされ、第２棒は前記ルーフエッジフレームの第２棒の端部連結ブロックにピボットされて摺畳可能に中心部が“Ｘ”状にピボットされ、ルーフの中心部を支持する少なくとも４組のルーフ中心部フレームと、前記ルーフエッジフレームとルーフ中心部フレームとを連結する棒連結ブロックと、前記ルーフ中心部フレームそれぞれの第１棒にピボットされてルーフの外側の最上端を形成する上部ヘッド連結ブロックと、前記ルーフ中心部フレームそれぞれの第２棒にピボットされてルーフの内側の最上端を形成する下部ヘッド連結ブロックと、前記ルーフエッジフレームとルーフ中心部フレームとを覆うルーフ布と、を含んでなることを特徴とする。
【０００９】
また、広げる時、前記上部ヘッド連結ブロックの高さが前記ルーフエッジフレームの水平面より高くなるように前記ルーフ中心部フレームの棒長が前記ルーフエッジフレーム棒より長く、ルーフ中心部フレームの第１棒が第２棒よりが長いことが望ましい。
【００１０】
また、外観を向上させ、外力に耐えられるようにピラミッド状に前記ルーフの中心に向かうコーナが形成されてコーナを補強するように前記柱端部連結ブロックと前記上部ヘッド連結ブロック間に摺畳可能なコーナ補強バーをさらに含んでなることもある。
【００１１】
また、前記ルーフ布の尖っている中心に通風口が形成され、前記上部ヘッド連結ブロックが前記通風口を貫通して上方に突設され、前記通風口と所定間隔で離隔されて前記上部ヘッド連結ブロックに摺畳式庇ルーフリブが形成された別途の２階型の庇ルーフが設置されることもある。
【発明を実施するための最良の形態】
【００１２】
以下、本発明の望ましい実施例によるキャノピーの構造を図面を参照して詳細に説明する。
【００１３】
まず、図１Ａ及び図１Ｂに示されたように、本発明の望ましい一実施例によるキャノピーの構造は、大きく、柱１、スライド連結ブロック２、端部連結ブロック８、ルーフエッジフレーム３、ルーフ中心部フレーム４、棒連結ブロック１０、上部ヘッド連結ブロック５、下部ヘッド連結ブロック６及びルーフ布７よりなる構成である。
【００１４】
すなわち、前記柱１は、地面に立てられて本発明のキャノピーを支持する構成であって、図１Ｂのように、１段である場合には最小４本、図２Ａのように、２段である場合には最小６本、３段である場合には最小８本で設置され、図２Ｂ及び図２Ｃに示されたように、正四角形に配置された４段である場合には周辺柱だけが設置され、中央に柱が除去された総８本の柱が設置されるなどルーフを支持するために多数本が並べて垂直に立てられる構成である。
【００１５】
ここで、前記図２Ｂ及び図２Ｃに示されたように、中央に柱が除去された多段型キャノピーは、図２Ｂに示されたように、４つの尖っている小さなルーフが形成される単一ルーフ１００で構成された単一ルーフ多段型であるか、または図２Ｃに示されたように、一つの尖っている大きい中心ルーフが形成されるようにルーフが二重に形成される二重ルーフ１１０で構成された二重ルーフ多段型に製作されうる。
【００１６】
一方、前記スライド連結ブロック２は、前記柱１に沿って上下方向に摺動自在に前記柱１を取り囲む形状に形成され、ルーフを広げる時、スライディングされて上昇した位置が固定されるように前記スライド連結ブロック２に内蔵されたキーレバーによってかかって下方に下降できない構成である。
【００１７】
この時、ルーフを摺畳する時、ユーザは前記キーレバーを解除するか、または加圧して前記スライド連結ブロック２の下降を自由にし、前記柱を集めて前記ルーフエッジフレーム３とルーフ中心部フレーム４とを摺畳しうる。
【００１８】
また、前記ルーフエッジフレーム３は、第１棒３１及び第２棒３２よりなるものであって、第１棒３１は前記柱１の端部連結ブロック８にピボットされ、第２棒は前記スライド連結ブロック２にピボットされて摺畳可能に中心部が“Ｘ”状にピボットされ、ルーフのエッジを支持するルーフ１面当り通常少なくとも２組ずつ連結されるものであって多数個（図面では、８組）が形成される。
【００１９】
また、前記ルーフ中心部フレーム４も、４組の第１棒４１及び第２棒４２よりなるものであって、第１棒４１は前記ルーフエッジフレーム３の第１棒３１の棒連結ブロック９にピボットされ、第２棒４２は前記ルーフエッジフレーム３の第２棒３２の棒連結ブロック１０にピボットされて摺畳可能に中心部が“Ｘ”状にピボットされ、ルーフの中心部を支持するように設置される構成である。
【００２０】
ここで、広げる時、前記上部ヘッド連結ブロック５の高さが前記ルーフエッジフレーム３より高くなるように前記ルーフ中心部フレーム４の棒長が前記ルーフエッジフレーム３棒より長く、前記ルーフ中心部フレーム４の第１棒４１が第２棒４２より長くて、ルーフ中心に別途の垂直棒なしにもルーフピークを形成できる。
【００２１】
また、前記上部ヘッド連結ブロック５は、多数の前記ルーフ中心部フレーム４それぞれの第１棒４１にピボットされてルーフの外側の最上端を形成するものであり、前記下部ヘッド連結ブロック６は、４個の前記ルーフ中心部フレーム４それぞれの第２棒４２にピボットされてルーフの内側の最上端を形成するものである。
【００２２】
一方、前記ルーフ布７は、前記ルーフエッジフレーム３とルーフ中心部フレーム４とを覆って庇膜を形成し、雨天時に雨水を排水させうる布である。
【００２３】
したがって、図１Ｂに示されたように、ユーザは、４本の柱１を広げれば、前記スライド連結ブロック２が上昇しつつ、前記ルーフエッジフレーム３の第１棒３１と第２棒３２間の角度が狭くなりつつ長さが延びると同時に、これと連結された前記ルーフ中心部フレーム４の第１棒４１と第２棒４２間も角度が狭くなりつつ長さが延びて前記ルーフ中心部フレーム４の第１棒４１が第２棒４２より長いため、前記上部ヘッド連結ブロック５が前記ルーフエッジフレーム３より高く上昇しうる。
【００２４】
次いで、ユーザが前記柱１を最大限広げれば、前記スライド連結ブロック２が前記キーレバーによってかかって下降できず、前記ルーフエッジフレーム３と前記ルーフ中心部フレーム４との形状が固定されうる。
【００２５】
次いで、ユーザは、図１Ａに示されたように、前記ルーフエッジフレーム３と前記ルーフ中心部フレーム４とにルーフ布７を覆って本発明のキャノピーを完成できる。
【００２６】
以後、ユーザが前記キーレバーを加圧するか、または解除して前記スライド連結ブロック２を下降させて、前記柱１を折り畳んで前記ルーフエッジフレーム３と前記ルーフ中心部フレーム４とを完全摺畳して体積を最小化することによって保管及び運搬を容易にしうる。
【００２７】
一方、図２Ｄに示されたように、前記下部ヘッド連結ブロック６には、前記上部ヘッド連結ブロック５を貫通して前記上部ヘッド連結ブロック５を基準としてスライディング可能な上部ルーフ柱１２０が設置され、前記上部ルーフ柱１２０の立てられる高さ調節が可能に前記上部ルーフ柱１２０の下側と下部ルーフ柱１２０−１の内側とに弾性バネ１２１が設置され、前記弾性バネ１２１の変位を調節するように一側が前記弾性バネ１２１を貫通して前記弾性バネ１２１の端部に回転自在に固定され、他側が回転する時、前記下部ヘッド連結ブロック６を基準としてナット１２０−２のネジ往復動するように前記下部ヘッド連結ブロック６に回転自在に支えられる回転取っ手１２２が設置されうるが、図１Ｂに示されたように、このような前記上部ルーフ柱１２０の省略も可能である。
【００２８】
また、前記柱１のＳ部分は、図２Ｋ及び図２Ｉに示されたように、橋の高さ調節が可能に外筒１ａに挿し込まれてスライディングされる内筒１ｂよりなり、前記内筒１ｂには外筒１ａに形成される貫通口１ｃに弾性フックされるキーレバー１３３が設置され、前記外筒１ａには前記内筒１ｂと外筒１ａを互いに固定させる固定ブロック１３１が設置される。
【００２９】
ここで、前記キーレバー１３３は、図２Ｅ及び図２Ｆに示されたように、用途によって円形管状の柱１に適用されて円柱形の内部フレーム１４０に丸い帯型のバネ１４１が設置される円形管スナップボタンであるか、または図２Ｇないし図２Ｊに示されたように、四角形管状の柱１に適用されて四角柱型の内部フレーム１５０にフック溝型（図２Ｇ及び図２ＨのようなＵ字または図２Ｉ及び図２ＪのようなＬ字）バネ１５１が設置される四角管スナップボタンが適用されうる。
【００３０】
ここで、図２Ｆに示された前記丸い帯型バネ１４１は、必ずしも内部フレーム１４０が必要せず、設置位置が柱端部から比較的浅い所では前記内部フレーム１４０なしに単独に設置されうる。
【００３１】
このような、前記固定ブロック１３１は、ユーザの手が負傷しないように図２Ｋ及び図２Ｌに示されたように、大きく本体１３２、スライド式キーレバー１３３、弾性バネ１３４、キーレバー取っ手１３５よりなる構成であって、前記本体１３１は、レールが形成される射出成形ブロックであり、前記スライド式キーレバー１３３は、前記本体１３１の内部レールに挿し込まれてスライディングが可能であり、スライディング前進する時、先端部が前記柱１の内筒１ｂまで貫通して固定されるように形成される柱型射出ブロックであり、前記弾性バネ１３４は、前記スライド式キーレバー１３３の後端部に挿し込まれ、固定キャップ１３６と前記スライド式キーレバー１３３間に設置されて前記スライド式キーレバー１３３を前進させる方向に復原力が作用する。
【００３２】
また、前記キーレバー取っ手１３５は、一側が前記スライド式キーレバー１３３の側面に形成されたネジ溝に螺合または固定され、他側が前記本体１３２の側面に形成されるスライドホール１３７から突き出る取っ手であって、ユーザが前進中である前記スライド式キーレバー１３３を後進させて前記内筒１ｂを自由にするものである。
【００３３】
したがって、ユーザは保管時に柱１の外筒１ａに内筒１ｂを挿入させて保管していて使用時に前記内筒１ｂを引出させれば、復原力で貫通口を貫通するキーレバー１３３によって自動的に前記内筒１ｂと外筒１ａとが固定され、保管及び解体時に前記スライド式キーレバー１３３を後進させるように前記キーレバー取っ手１３５を把持して前記内筒１ｂを自由にして再挿できる。
【００３４】
一方、図３Ａないし図３Ｅに示されたように、このような本発明のキャノピーの構造は、必ずしも図１Ａ、図３Ａ及び図３Ｂの“Ａ”フロントトラスが適用されたピラミッド型にのみ限定されず、図３Ｂに示されたスレートルーフ型や、図３Ｃに示された十字ルーフ型や、図３Ｄに示された十字ピラミッド型や、図３Ｅに示された変形十字ピラミッド型などに適用され、各中心部は図７Ａないし図７Ｃを適切に変形適用可能であり、トラス補強のために上端ヘッドブロックの近くにワイヤーまたは鉄バーなどを連結できる。
【００３５】
ここで、図３Ｂのスレートルーフ型は、図１Ｂで中央ピークの高いルーフ中心部フレームの棒を前側面と後側面とに交替組立てるように設計し、ルーフエッジフレームの横縦の長さを同じかまたは異に設計してピークの形状を変えることが可能である（参考、“Ａ”、“Ｂ”フロントトラス適用が可能）。
【００３６】
また、図３Ｃの十字ルーフ型は、図３Ｂで左右側面のルーフ中心部フレームの棒を交替組立てて、中央のピークから四つのコーナ側に雨や雪などが流れるように設計できる（参考、図３Ｂの“Ｂ”フロントトラス適用も可能）。
【００３７】
また、図３Ｄの十字ピラミッド型は、図３Ｃで中央ピークを非常に高く、すなわち、ルーフ中心部フレームのパイプを高く設計して雪や雨が多く降る地域で使用可能に設計できる（参考、図３Ｂの“Ｂ”フロントトラス適用も可能）。
【００３８】
また、図３Ｅの変形十字ピラミッド型は、図３Ｄで左右側面のピーク部分を除去して前後に中央部分の高さを維持するように設計できる（参考、図３Ｂの“Ｂ”フロントトラス適用も可能）。
【００３９】
それ以外にも、本発明のキャノピーの構造は、多様な形態及び種類のキャノピーに何れも適用されうる。
【００４０】
また、図３Ａないし図３Ｅに示されたキャノピーだけでなく、前記柱１を２本さらに延設し、前記ルーフエッジフレーム３及び前記ルーフ中心部フレーム４を延設して２つの上部ヘッド連結ブロック５と下部ヘッド連結ブロック６とが形成されるように２段に設置することもある。
【００４１】
それ以外にも、必要に応じて前記柱１とルーフエッジフレーム３及びルーフ中心部フレーム４をさらに延設して３段、４段など多段に形成することもある。
【００４２】
一方、図５Ａに示されたように、前記スライド連結ブロック２は、ユーザの指が負傷しないように間接的にスライド式キーレバー１０を加圧させる構成であって、本体１２と、スライド式キーレバー１０と、弾性バネ３０及びキーレバー固定具２２を含んでなる構成である。
【００４３】
すなわち、前記本体１２は、下面に円筒型レール２０が形成される射出成形ブロックであり、前記スライド式キーレバー１０は、前記本体１２のレール２０に挿し込まれてスライディングが可能であり、ユーザが前記スライド式キーレバー１０を加圧してスライディング前進させる時、先端部が前記柱１に形成された貫通ホール２ａに挿し込まれるように形成される柱型射出ブロックである。
【００４４】
また、前記弾性バネ３０は、前記スライド式キーレバー１０の先端部に挿し込まれて、前記本体１２と前記スライド式キーレバー１０間に設置されて前記スライド式キーレバー１０を後進させる方向に復原力が作用する。
【００４５】
また、前記キーレバー固定具２２は、前記スライド式キーレバー１０に形成されたフック溝１０ａにかかるラッチであって、前記スライド式キーレバー１０を覆って固定させる固定キャップ１０１に形成された垂直ホール１０１ａに挿し込まれて自重によって下降してその先端部が前記スライド式キーレバー１０のフック溝１０ａにかかって前記スライド式キーレバー１０が前進する時、前記スライド式キーレバー１０を固定させる一種のストッパーである。
【００４６】
したがって、ユーザが前記スライド式キーレバー１０によってかかっている前記スライド連結ブロック２を下降させようとする場合、前記スライド式キーレバー１０を固定させる前記キーレバー固定具２２を上げて前記スライド式キーレバー１０を自由にすれば、前記スライド式キーレバー１０が前記弾性バネ３０によって後進しつつ、前記スライド式キーレバー１０の先端部が前記柱１に形成された貫通ホール２ａから離脱して、前記柱１と前記スライド連結ブロック２との結合が解除されて前記スライド連結ブロック２の下降が自由になる。
【００４７】
また、前記スライド連結ブロック２を前記柱１に固定させようとする時は、ユーザが前記スライド式キーレバー１０の後端部を押して前記スライド式キーレバー１０の先端部を前記柱１に形成された貫通ホール２ａに挿入させることによって、前記スライド連結ブロックを前記柱１と固定させた後、前記スライド式キーレバー１０が後進しないように前記固定キャップ１０１に形成された垂直ホール１０１ａに前記キーレバー固定具２２が自重によって自動的に下降しつつ挿入固定させうる。
【００４８】
一方、図５Ｂに示されたように、前記スライド連結ブロック２は、ユーザの指が負傷しないように間接的にキーレバー取っ手１０ｃを引っ張る構成であって、本体１２と、スライド式キーレバー１０と、弾性バネ３０及びキーレバー取っ手１０ｃを含んでなる構成である。
【００４９】
すなわち、前記本体１２は、下面に円筒型レール２０が形成される射出成形ブロックであり、前記スライド式キーレバー１０は、前記本体１２のレール２０に挿し込まれてスライディングが可能であり、スライディング前進する時、先端部が前記柱１に形成された貫通ホール２ａに挿し込まれるように形成される柱型射出ブロックである。
【００５０】
また、前記弾性バネ３０は、前記スライド式キーレバー１０の後端部に挿し込まれ、固定キャップ１０１とスライド式キーレバー１０間に設置されて前記スライド式キーレバー１０を前進させる方向に復原力が作用する。
【００５１】
また、前記キーレバー取っ手１０ｃは、一側が前記スライド式キーレバー１０の側面に形成されたネジ溝１０ｂに螺合または固定され、他側が前記本体１２の側面に形成される長いスライドホール１０ｄから突き出る取っ手であって、ユーザが前進中である前記スライド式キーレバー１０を後進させて前記柱１を自由にする役割を行う。
【００５２】
したがって、ユーザが前記スライド式キーレバー１０によってかかっている前記スライド連結ブロック２を下降させようとする場合、前記キーレバー取っ手１０ｃを引っ張って前記スライド式キーレバー１０を後進させれば、前記スライド式キーレバー１０の先端部が前記柱１に形成された貫通ホール２ａから離脱されて、前記柱１と前記スライド連結ブロック２との結合が解除されて前記スライド連結ブロック２の下降が自由になる。
【００５３】
一方、図５Ｃに示されたように、図５Ａの他の実施例であって、前記スライド連結ブロック２は、ユーザの指が負傷しないように間接的に回転式キーレバー７０を加圧させる構成であって、本体１２と、回転式キーレバー７０及び弾性バネ８０を含んでなる構成である。
【００５４】
すなわち、前記本体１２は、側面にガイド板７０ａが形成される射出成形ブロックであり、前記回転式キーレバー７０は、前記本体１２のガイド板７０ａにピボット軸を中心に回動可能であり、ユーザが広げる時、スライダー連結ブロックを上げる時、前記回転式キーレバー７０が弾性バネによって正転しつつ、一側に形成された先端部が前記柱１に形成された貫通ホール２ａに挿し込まれるように形成される回転板状の射出ブロックである。
【００５５】
また、前記弾性バネ８０は、前記回転式キーレバー７０の他側の尾部に挿し込まれて前記本体１２と前記回転式キーレバー７０間に設置されるものであって、前記回転式キーレバー７０を正転させる方向に復原力が作用する。
【００５６】
したがって、ユーザが前記回転式キーレバー７０によってかかっている前記スライド連結ブロック２を下降させようとする場合、前記回転式キーレバー１０の取っ手部を加圧して前記回転式キーレバー１０を逆転させることによって、前記回転式キーレバー７０の先端部が前記柱１に形成された貫通ホール２ａから離脱されて、前記柱１と前記スライド連結ブロック２との結合が解除されて前記スライド連結ブロック２の下降が自由になる。
【００５７】
また、前記スライド連結ブロック２を前記柱１に固定させようとする時は、ユーザが単に前記回転式キーレバー７０の取っ手部を放して前記回転式キーレバー７０の先端部が前記弾性バネ８０によって押されて前記柱１に形成された貫通ホール２ａに挿し込まれることによって、前記スライド連結ブロック２を前記柱１と固定させうる。
【００５８】
それ以外にも、本発明の技術的思想を外れない範囲内で前記スライド連結ブロック２と前記柱１とを固定させうる多様な形態及び種類の固定手段が適用され、当業者にによって修正及び変更が容易である。
【００５９】
このような、前記スライド連結ブロック２、前記柱の端部連結ブロック８、前記ルーフエッジフレーム３の第１棒連結ブロック９、第２棒連結ブロック１０、前記上部ヘッド連結ブロック５、前記下部ヘッド連結ブロック６は、プラスチック射出構造物であるか、または用途によって溶接構造物であり得、使われる棒の形状によって長方形、正方形、円形、楕円形の引入形状が可能であり、必要時にブロックの上方が開放された形態に製作されうるものであって、図４Ａないし図４Ｄ及び図５Ａないし図５Ｃに示されたように、多様な実施例に製作されうる。
【００６０】
すなわち、図４Ａに示されたように、それぞれの第１棒３１及び第２棒３２に形成されたピンホール３１ａと、前記連結ブロックに形成されたピンホール３３ａとを同時に貫通するヒンジ軸３３によってピボット結合されるようにアーム３４が形成される構成である。
【００６１】
ここで、前記第１棒３１４１及び第２棒３２４２に形成されたピンホール３１ａの内径面には、波状のスプライン溝が形成され、前記ピンホール３１ａを貫通するヒンジ軸３３の外表面には、前記スプライン溝３５ａと対応する形状の波状のスプライン突起が形成され、ヒンジ回転運動時に前記ヒンジ軸３３と第１棒３１または第２棒３２とが連結されたヒンジ内でピンを回転させ、前記ヒンジ軸３３の端部にはキャップまたはピン３６を固定させてその結合をさらに堅固にする。
【００６２】
この時、前記第１棒３１及び第２棒３２の端部に形成されるピンホール３１ａは、前記第１棒３１及び第２棒３２の端部に直接プレッシャパンチングで形成されることが望ましいが、図４Ａに示されたように、前記ピンホール３１ａが別途の射出物３５に形成され、前記第１棒３１及び第２棒３２にもピンホール３１ａが形成されて前記ヒンジ軸３３が前記射出物３５のピンホール３１ａと前記第１棒３１または第２棒３２のピンホール３１ａとを同時に貫通させて、ヒンジ軸３３の端部にピンやキャップで前記射出物３５と第１棒３１または第２棒３２との固定を堅固にできる。
【００６３】
一方、図６Ａ及び図６Ｂに示されたように、本発明の望ましいさらに他の実施例によるキャノピーの構造は、前記ルーフ布７の尖っている中心に通風口５５が形成され、前記上部ヘッド連結ブロック５が前記通風口５５を貫通して上方に突設され、前記通風口５５と所定間隔で離隔されて前記上部ヘッド連結ブロック５に摺畳式庇ルーフリブ５１が形成された別途の２階型庇ルーフ５２が設置される。
【００６４】
ここで、前記２階型庇ルーフ５２は、前記通風口５５より十分に長い直径を有させて前記通風口５５に照る日差しを完全に遮断させうる。
【００６５】
したがって、ユーザは普段にフレームを摺畳して保管していて図６Ｂに示されたように、柱１を少し広げ、図６Ａに示されたように、組立てる時に完成された２階型庇ルーフ５２上に、通風口５５が形成されたルーフ布を覆って完成できる。
【００６６】
このような前記２階型庇ルーフ５２を支持する前記庇ルーフリブ５１は、図６Ｂに示されたように、大きく放射形庇ルーフリブ５１１及び摺畳式庇ルーフリブ５１２よりなり、前記放射形庇ルーフリブ５１１は、前記庇ルーフ５２を形成する骨組みを形成し、前記摺畳式庇ルーフリブ５１２は、前記フレームを広げる時、前記放射形庇ルーフリブ５１１が広げられるように支持する役割を行う。
【００６７】
もちろん、このような２階型庇ルーフ５２が形成されたキャノピーは、前記柱１を２本さらに延設し、前記ルーフエッジフレーム３及び前記ルーフ中心部フレーム４を延設して２個の上部ヘッド連結ブロック５と下部ヘッド連結ブロック６とを形成させ、強度の補強や必要時に図６Ｂの４つのコーナ補強バー５３をさらに設置する同時に、前記２階型庇ルーフ５２を一つさらに設置して２段に設置することもある。それ以外にも、必要に応じて前記柱１、ルーフエッジフレーム３、ルーフ中心部フレーム４及びコーナ補強バー５３をさらに延設して３段、４段など多段に形成することもある。
【００６８】
一方、図７Ａないし図７Ｃに示されたように、前記摺畳式庇ルーフリブ５１２の一端部がピボットされる前記ルーフ中心部フレーム４の第１棒４１、第２棒４２及び第３棒５３の形状は、用途や風の強度によって非常に多様に製作されうるものであって、図７Ａに示されたように、第１棒４１が第２棒４２を押し上げて立てるようにスライディングされるスライドバー４２にピボットされ、図７Ｂに示されたように、第２棒４２が第１棒４１に沿って引っ張って立てるようにスライディングされるスライドバー４１にピボットされ、図７Ｃに示されたように、第１棒４１と第２棒４２とが互いに“Ｘ”状に交差してピボットされ、それ以外にも、第３棒５３を強度や用途によって含まれるか、または除外させうる。
【００６９】
また、図８Ａ及び図８Ｂに示されたように、前記摺畳式庇ルーフリブ５１２がピボットされる他端部がピボットされる前記放射形庇ルーフリブ５１１の形態として、直線、曲線、ベンディングなど非常に多様に製作され、図８Ａに示されたように、前記摺畳式庇ルーフリブ５１２は、前記放射形庇ルーフリブ５１１の中心部または中心部を外れてヒンジされるか、または図８Ｂに示されたように、前記摺畳式庇ルーフリブ５１２は、それぞれ前記放射形庇ルーフリブ５１１及び前記第１棒４１に沿ってすべり運動または固定されて摺畳可能な一対の摺畳式庇ルーフリブに両端部がピボットされうる。
【００７０】
したがって、前記ルーフエッジフレーム３とルーフ中心部フレーム４とは相異なる長さ及び多様な形状の棒より設置されたルーフの多様な形状を構成でき、外観を改善し、ルーフのコーナ部分を堅固に支えられる利点がある。
【００７１】
また、ルーフを多段に形成することが容易であり、ユーザがキーレバーを使用してスナップボタン１１を操作する時に受けられる負傷を防止し、ルーフの通風が円滑になることはもとより、製品を高級化すると同時に、内部の空気循環を円滑にして温度調節を可能にする利点がある。
【００７２】
本発明は、前述した実施例に限定されず、本発明の思想を阻害しない範囲内で当業者による変形が可能である。
【００７３】
例えば、本発明の実施例では、１及び２段のキャノピーの構造に限定されているが、それ以外にも多様な段を連結して非常に多様に形成でき、ルーフの形状及び種類によってピラミッド型、スレートルーフ型、十字ルーフ型、十字ルーフ円ヘッド幕型、変形十字ルーフピラミッド型などに適用可能であり、２階型庇ルーフの形状及び種類を非常に多様に変更して、通風はもとより、美観をさらに美しくできる。
【００７４】
したがって、本発明の範囲は、詳細な説明の範囲内で決定されず、特許請求の範囲とその技術的思想とによって限定される。
【産業上の利用可能性】
【００７５】
前述した本発明のキャノピーの構造によれば、ルーフの形状及び種類によってピラミッド型、スレートルーフ（ゲーブル）型、十字ルーフ型、十字ピラミッド型、変形十字ピラミッド型などに適用可能であり、円滑な排水及び美観を美しくするだけでなく、必要時にルーフのコーナを補強して外力に対する持久力と保存力とを強くし、ユーザのキーレバーの使用を安全にし、ルーフに通風口と２階型庇ルーフとを形成して内部の通風及び温度上昇を防止し、製品を高級化でき、また通風口と２階型庇ルーフを除去できるので、季節温度など多様な環境によって２つの用途に使用できる。
【図面の簡単な説明】
【００７６】
【図１Ａ】本発明の望ましい一実施例によるピラミッド型の１段式キャノピーの構造を示す斜視図である。
【図１Ｂ】本発明の望ましい一実施例によるピラミッド型の１段式キャノピーの構造を示す斜視図である。
【図２Ａ】本発明の望ましい一実施例による２段式キャノピーの構造を示す斜視図である。
【図２Ｂ】本発明の望ましい他の実施例による多段式キャノピーの構造を示す斜視図である。
【図２Ｃ】本発明の望ましいさらに他の実施例による多段ルーフ式キャノピーの構造を示す斜視図である。
【図２Ｄ】本発明に適用されうる高さ調節が可能な上部ルーフ柱の一例を示す図面である。
【図２Ｅ】本発明に適用されうる円形管の丸い帯型のスナップボタンの一例を示す断面図である。
【図２Ｆ】図２Ｅの斜視図である。
【図２Ｇ】本発明に適用されうる四角形管のスナップボタンの一例を示す断面図である。
【図２Ｈ】図２Ｇの斜視図である。
【図２Ｉ】本発明に適用されうる四角形管のスナップボタンの他の一例を示す断面図である。
【図２Ｊ】図２Ｉの斜視図である。
【図２Ｋ】本発明の柱に適用されうる固定ブロックを示す斜視図である。
【図２Ｌ】図２Ｋの断面図である。
【図３Ａ】本発明のキャノピーの構造が適用可能なキャノピー状及び変形例を示す概略図である。
【図３Ｂ】本発明のキャノピーの構造が適用可能なキャノピー状及び変形例を示す概略図である。
【図３Ｃ】本発明のキャノピーの構造が適用可能なキャノピー状及び変形例を示す概略図である。
【図３Ｄ】本発明のキャノピーの構造が適用可能なキャノピー状及び変形例を示す概略図である。
【図３Ｅ】本発明のキャノピーの構造が適用可能なキャノピー状及び変形例を示す概略図である。
【図４Ａ】図１Ｂの柱端部連結ブロックの一例を示す分解斜視図である。
【図４Ｂ】図１Ｂの柱端部連結ブロックの延長可能なさらに他の実施例を示す分解斜視図である。
【図４Ｃ】図１Ｂのヘッド連結ブロックの一例を示す斜視図である。
【図４Ｄ】図１Ｂの棒連結ブロックの一例を示す斜視図である。
【図４Ｅ】図１Ｂの連結ブロックと棒との連結状態の一例を示す斜視図である。
【図５Ａ】図１Ｂのスライド連結ブロックのキーレバーの一実施例を示す分解斜視図である。
【図５Ｂ】図１Ｂのスライド連結ブロックのキーレバーの他の実施例を示す分解斜視図である。
【図５Ｃ】図１Ｂのスライド連結ブロックのキーレバーのさらに他の実施例を示す分解斜視図である。
【図６Ａ】本発明の望ましいさらに他の実施例による１段式キャノピーの構造を示す斜視図である。
【図６Ｂ】本発明の望ましいさらに他の実施例による１段式キャノピーの構造を示す斜視図である。
【図７Ａ】図６Ｂの前記ルーフ中心フレームの第１棒と第２棒との連結構造及び図３Ａないし図３Ｅに適用可能なトラス（棒）の一例を示す斜視図である。
【図７Ｂ】図６Ｂの前記ルーフ中心フレームの第１棒と第２棒との連結構造及び図３Ａないし図３Ｅに適用可能なトラス（棒）の一例を示す斜視図である。
【図７Ｃ】図６Ｂの前記ルーフ中心フレームの第１棒と第２棒との連結構造及び図３Ａないし図３Ｅに適用可能なトラス（棒）の一例を示す斜視図である。
【図８Ａ】図６Ｂの摺畳式庇ルーフリブの一例を示す斜視図である。
【図８Ｂ】図６Ｂの摺畳式庇ルーフリブの一例を示す斜視図である。
【図１Ａ】
2005514545.tif 000003
【図１Ｂ】
2005514545.tif 000004
【図２Ａ】
2005514545.tif 000005
【図２Ｂ】
2005514545.tif 000006
【図２Ｃ】
2005514545.tif 000007
【図２Ｄ】
2005514545.tif 000008
【図２Ｅ】
2005514545.tif 000009
【図２Ｆ】
2005514545.tif 000010
【図２Ｇ】
2005514545.tif 000011
【図２Ｈ】
2005514545.tif 000012
【図２Ｉ】
2005514545.tif 000013
【図２Ｊ】
2005514545.tif 000014
【図２Ｋ】
2005514545.tif 000015
【図２Ｌ】
2005514545.tif 000016
【図３Ａ】
2005514545.tif 000017
【図３Ｂ】
2005514545.tif 000018
【図３Ｃ】
2005514545.tif 000019
【図３Ｄ】
2005514545.tif 000020
【図３Ｅ】
2005514545.tif 000021
【図４Ａ】
2005514545.tif 000022
【図４Ｂ】
2005514545.tif 000023
【図４Ｃ】
2005514545.tif 000024
【図４Ｄ】
2005514545.tif 000025
【図４Ｅ】
2005514545.tif 000026
【図５Ａ】
2005514545.tif 000027
【図５Ｂ】
2005514545.tif 000028
【図５Ｃ】
2005514545.tif 000029
【図６Ａ】
2005514545.tif 000030
【図６Ｂ】
2005514545.tif 000031
【図７Ａ】
2005514545.tif 000032
【図７Ｂ】
2005514545.tif 000033
【図７Ｃ】
2005514545.tif 000034
【図８Ａ】
2005514545.tif 000035
【図８Ｂ】
2005514545.tif 000036
【国際調査報告】
2005514545.tif 000037
2005514545.tif 000038